(57)【要約】【課題】鉄骨構造の躯体外面に着脱自在に取付ける建築用荷取り構台において、下の階で荷取りをするに際し短時間で容易に退避させることができ、しかも退避後の屋内外での作業や荷の移動に際して障害物が残らないようにする。【解決手段】荷取り構台の本体を水平台２１と手摺２２，２３とで構成し、水平台２１の側縁前部にチェーンブロック４０の荷掛けフック４１を連結するための係止具を突設し、水平台２１の後縁左右に上下方向の柱状体２５を交差状に固定し、この柱状体２５の上向き部に躯体側へ突出するアーム２７を固定し、このアーム２７の先端を床スラブ１０上面の支持金２８に横ピン２９で回転可能に連結し、柱状体２５の下向き部に床スラブ１０下面の支持用水平鉄骨１１と接する棒状ストッパ３０を突設し、水平台２１の先端に左右一対のターンバックル３５付きワイヤ３６の一端を連結し、ワイヤ３６の他端を躯体の上階側部分に着脱自在に連結する。【選択図】      図１
2005273292.tif 000002
【特許請求の範囲】
【請求項１】
鉄骨構造の躯体外面に対して着脱自在に形成された建築用荷取り構台において、上記荷取り構台の本体を横に長い長方形の水平台とその前縁および左右の側縁に立てた手摺とで構成し、上記水平台の左右の側縁前部にチェーンブロックの荷掛けフックを連結するための係止具を突設し、上記水平台の後縁左右に上下方向の柱状体を交差状に固定し、この柱状体の上向き部に躯体側へ突出するアームを固定し、このアームの先端を上記躯体の床スラブ上面に突設した左右の支持金に横ピンで回転可能に連結し、上記柱状体の下向き部に上記床スラブ下面の支持用水平鉄骨と接する棒状ストッパを突設し、上記水平台の先端に左右一対のターンバックル付きワイヤの一端を連結し、該ワイヤの他端を上記躯体の上階側部分に着脱自在に連結したことを特徴とする建築用荷取り構台。
【発明の詳細な説明】
【技術分野】
【０００１】
この発明は、高層建築物の建設中、特に鉄骨構造の躯体外面に着脱自在に取付け、外部から建築資材その他の荷を受取り、建物内に搬入するのに好適な建築用荷取り構台に関するものである。
【背景技術】
【０００２】
建設現場では、２階以上の高層階に外部のクレーンで吊られた荷を搬入するため、建物外側に棚状の荷取り構台を張出すように設置することが行なわれている。しかし、このような荷取り構台が設置されると、下の階に荷を搬入する場合、上層階の荷取り構台が邪魔になるという問題があった。そこで、下の階での荷取りを可能にするため、種々の荷取り構台が開発されるようになった。
【０００３】
例えば、特開平７−４８０２３号公報には、建物の床面に左右一対のホルダービームを固定し、この左右のホルダービームに手摺付きスライドビームを滑動自在に設け、この左右のスライドビームの対向面間にレールを介して台車を設置し、スライドビームおよび台車を躯体内に引込みできるようにしたものが開示されている。しかしながら、この荷取り構台は、外部に突出するのがスライドビームと台車のみであるため、屋内への引き込みが容易で、屋外から短時間で退避させることができる半面、床面に置いたホルダービームの両端と上階のスラブ下面との間に支柱を介在させ、前後左右の合計４本の支柱で上記のホルダービームを押さえて固定するものであり、かつ床上にホルダービームが露出するので、これらが屋内での荷の運搬や作業の邪魔になるという問題があった。
【特許文献１】特開平７−４８０２３号公報
【０００４】
また、特開平１０−２５８９６号公報には、足場または躯体側に固定される鉛直方向の固定枠と、この固定枠の下端に接続される水平方向の台板と、固定枠の上端および台板の先端を接続する左右のチェーンおよび吹上げ防止材（つっかい棒）と、上記固定枠の上端左右に設置された電動チェーンブロックとからなり、上記の吹上げ防止材と台板の噛み合いを外し、電動チェーンブロックで台板先端を引上げることにより、折畳み可能とした荷取り構台が開示されている。しかし、この荷取り構台は、折畳み後の屋内作業に障害となるものが生じない半面、折畳みに際して台板の先端と吹上げ防止材との噛合いを外す必要があり、折畳みの作業が面倒であって、荷取り構台を屋外から退避させるのに長時間を要し、かつ折畳み後の荷取り構台が足場または躯体の外側に残り、下の階で荷取りをするに際し、支障が残るという問題があった。
【特許文献２】特開昭１０−４８０２３号公報
【発明の開示】
【発明が解決しようとする課題】
【０００５】
この発明は、鉄骨構造の躯体外面に着脱自在に取付ける建築用荷取り構台において、下の階で荷取りをするに際し短時間で容易に退避させることができ、しかもこの退避後の屋内外での作業や荷の移動に際して障害物が残らないようにするものである。
【課題を解決するための手段】
【０００６】
この発明に係る建築用荷取り構台は、鉄骨構造の躯体外面に対して着脱自在に形成された建築用荷取り構台において、上記荷取り構台の本体を横に長い長方形の水平台とその前縁および左右の側縁に立てた手摺とで構成し、上記水平台の左右の側縁前部にチェーンブロックの荷掛けフックを連結するための係止具を突設し、上記水平台の後縁左右に上下方向の柱状体を交差状に固定し、この柱状体の上向き部に躯体側へ突出するアームを固定し、このアームの先端を上記躯体の床スラブ上面に突設した左右の支持金に横ピンで回転可能に連結し、上記柱状体の下向き部に上記床スラブ下面の支持用水平鉄骨と接する棒状ストッパを突設し、上記水平台の先端に左右一対のターンバックル付きワイヤの一端を連結し、該ワイヤの他端を上記躯体の上階側部分に着脱自在に連結したことを特徴とする。
【０００７】
上記の建築用荷取り構台は、あらかじめ躯体の床スラブ上面に左右の支持金を任意の手段、例えばボルト締めや埋設等により固定し、しかるのち荷取り構台本体をクレーンで吊り上げ、その水平台から後方に突出するアームの先端を上記の支持金に横ピンで連結し、上記水平台の先端にターンバックル付きワイヤの一端を連結し、他端を上記躯体の上階側部分、例えば上階側床スラブを支持している水平鉄骨のフランジ等に着脱自在に連結し、上記荷取り構台本体を下ろしながら棒状ストッパの先端を上記床スラブ下面の支持用水平鉄骨に接触させ、さらに上記ターンバックル付きワイヤの長さを調節することによって躯体に固定される。したがって、荷取り構台本体に加わる下向き荷重は、水平台の後方に位置する柱状体上部の横ピン、該柱状体下部の棒状ストッパおよび左右のターンバックル付きワイヤで支えられる。なお、上記棒状ストッパは、長さ調節自在に形成することにより水平台の水平出しが容易になる。
【０００８】
上記の荷取り構台の設置後において、もしも下の階で荷取りが必要になった場合は、2個のチェーンブロックを左右に分けて、上記のターンバックル付きワイヤと同様に、躯体の上階側部分に連結して吊下げ、その荷掛けフックを水平台の側縁前部にあらかじめ突設されている係止具に掛け、しかるのちチェーンブロックを操作して水平台の前端を引上げることにより、荷取り構台をほぼ垂直に起こして躯体内に退避させることができる。このとき起こされた水平台の外面には、床スラブの若干上方で左右の柱状体がほぼ水平に突出するのみであるから、下の階の荷取り作業に支障が生じない。一方、躯体内では、床スラブの端部左右に支持金と上記の柱状体が存在するのみであるため、躯体内作業にも支障が生じることはない。
【０００９】
そして、下の階における荷取り作業等が終了した場合は、上記のチェーンブロックを操作して水平台を降下させ、前記ストッパの先端を床スラブ下側の水平鉄骨に接触させることで水平台が水平位置に戻され、荷取り構台での作業が可能になる。また、この荷取り構台による荷取り作業が終った場合は、チェーンブロックおよびターンバックル付きワイヤを躯体の上階側部分から外し、前記アームの先端と支持金とを連結する横ピンを抜取ることによって荷取り構台が躯体から分離され、クレーンによる吊り上げが可能になる。
【発明の効果】
【００１０】
この発明に係る建築用荷取り構台は、建築中の躯体の床スラブ上面にあらかじめ支持金を任意の手段で固定しておけば、床スラブの上下の鉄骨を利用し必要に応じて躯体に取付けることができ、躯体に対する着脱が容易である。そして、チェーンブロックを躯体の上階側部分に吊下げ、その荷掛けフックを水平台の側縁前部の係止具に掛け、このチェーンブロックで水平台の前端を引上げることにより、荷取り構台を躯体内に退避させることができ、この場合に水平台の外面には左右の柱状体がほぼ水平に突出するのみであるため、下の階での荷取り作業に支障がなく、また躯体内では床スラブの端部左右に支持金と柱状体が存在するのみであるため、躯体内作業にも支障がない。そして、上記のチェーンブロックを操作して水平台を降下させることにより、水平台を水平位置に戻すことができ、復帰作業も容易である。
【発明を実施するための最良の形態】
【００１１】
図１は建築用荷取り構台の取付け状態を示す縦断面図であり、下方の符号１０は躯体開口部の床スラブ、１１はＩ形断面の水平鉄骨を示し、この水平鉄骨１１において、１１ａはウエブ、１１ｂはフランジであり、この水平鉄骨１１が床スラブ１０を下から支持している。そして、上方の符号１０Ａおよび１１Ａは、それぞれ上階の床スラブおよび水平鉄骨を示し、上記下側の水平鉄骨１１と同様に上階の水平鉄骨１１Ａが上階の床スラブ１０Ａを下から支持している。
【００１２】
２０は、建築用荷取り構台であり、横方向（紙面に垂直の方向）に長い長方形の水平台２１と、その前縁（図１において左端縁）および左右の側縁に沿って立てられた手摺２２、２３とで本体を構成している。なお、上記の水平台２１は、額縁状に連結された前後の横ビーム２１ａおよび左右の縦ビーム２１ｂと、その上面を覆う上面板２１ｃと、該上面板２１ｃの上面前縁と左右側縁の三方に固定した縁取り材２１ｄで構成されている。また、手摺２２，２３は、逆Ｕ字形に形成され、その基部が上記水平台２１の縁取り材２１ｄに固定され、縦横のステー２２ａ、２３ａおよび安全ネット（図示されていない）で補強されている。そして、前部の手摺２２と側部の手摺２３は、両者の隣接部が連結金具２４で連結され、補強される。なお、上記の手摺２２，２３は、水平台２１側に倒して折畳むようにすることができる。
【００１３】
上記水平台２１の後端左右に角パイプからなる柱状体２５が上下方向に固定される。なお、２６は補強金具である。この柱状体２５は、水平台２１よりも上に向かって突出する上向き部と、下に向かって突出する下向き部とを備え、上向き部には、後方の躯体側へ水平に突出するアーム２７が突設され、その先端が床スラブ１０に突出する支持金２８の先端に横ピン２９で回転自在に連結される。なお、この支持金２８は、その下半部をスラブ１０に埋設することにより、あらかじめ固定される。
【００１４】
一方、柱状体２５の下向き部には、長さ調節が可能な棒状ストッパ３０が後方の躯体側へ向かって水平に突設され、その先端が水平鉄骨１１のウエブ１１ａ前面に当たるようになっている。なお、３０ａは、上記棒状ストッパ３０の長さを調節するための調節リングであり、この長さ調節により、前記アーム２７との共同で上記の水平台２１が水平に支持される。また、前記のアーム２７には、横ピン２９を挿入するためのピン孔を複数個、横一列に穿孔しておき、水平台２１と支持金２８の距離を調節可能にすることができる。
【００１５】
前記水平台２１の前端部左右にターンバックル３５付きワイヤ３６の一端が連結され、他端がクランプ３７を介して上階側水平鉄骨１１Ａに着脱自在に連結される。そして、上記の上階側水平鉄骨１１Ａには、上記のクランプ３７の外側（紙背側）に隣接して上記同様のクランプ（図示されていない）が取付けられ、このクランプを介して左右一対のチェーンブロック４０が吊下げられ、他方、水平台２１の前端部左右には上記チェーンブロック４０の荷掛けフック４１を着脱自在に引掛けるための係止具（図示されていない）が固定される。
【００１６】
上記の構造において、水平台２１後方のアーム２７を床スラブ１０上の支持金２８に横ピン２９で連結し、棒状ストッパ３０の長さを調節リングで調節することにより、水平台２１の水平だしが行なわれる。そして、ターンバックル３５付きワイヤ３６の長さをターンバックル３５で調節することにより、ワイヤ３６が緊張され、荷取り構台２０の全荷重が横ピン２９、棒状ストッパ３０およびワイヤ３６で分担され、荷取り作業が可能になる。そして、左右一対のチェーンブロック４０の荷掛けチェーンを引出し、その荷掛けフック４１を水平台２１前部の係止具に掛けてチェーンブロック４０を操作し、水平台２１の前部を引上げると、荷取り構台２０が鎖線で示す位置に移動し、下の階での荷取りが可能になる。また、上階側の水平鉄骨１１Ａからチェーンブロック４０およびワイヤ３６を外し、下方の横ピン２９を抜取ると、荷取り構台２０の取外しが可能となる。なお、床スラブ１０上の支持金２８は、突出部を切除することにより、床スラブ１０の上面が平坦になる。
【図面の簡単な説明】
【００１７】
【図１】実施形態を示す縦断面図である。
【符号の説明】
【００１８】
１０，１０Ａ：床スラブ
１１，１１Ａ：水平鉄骨
２０：建築用荷取り構台
２１：水平台
２２，２３：手摺
２５：柱状体
２７：アーム
２８：支持金
２９：横ピン
３０：棒状ストッパ
３５：ターンバックル
３６：ワイヤ
３７：クランプ
４０：チェーンブロック
４１：荷掛けフック
【図１】
2005273292.tif 000003